(57)【要約】【課題】画像形成装置における画像生産性と省電力性とに関してユーザそれぞれの使用態様に応じた両立を図る。【解決手段】画像形成ユニット２およびユニット（画像読取ユニット３、ＵＩユニット４、ＦＡＸユニット５、トレイユニット６、メモリユニット７、システム制御ユニット８）の各々に供給する電力を個別に制御する制御部（ＣＰＵ）は、省電力状態に設定したユニットに供給する電力を、ユーザが要求する復帰時間以内に動作可能状態に復帰可能な電力量に制御する。【選択図】図２
2010056750.tif 000002
【特許請求の範囲】
【請求項１】
画像情報に基づき画像形成を行う画像形成機能部と、
前記画像形成機能部との間で画像形成に関連する情報または信号の送受信を行う複数の制御機能部と、
前記画像形成機能部および前記制御機能部各々に供給する電力を個別に制御して、当該画像形成機能部および当該制御機能部各々に動作可能状態と当該動作可能状態よりも消費電力の少ない省電力状態とを個別に設定する制御手段と、
前記画像形成機能部および前記制御機能部の一または複数を前記省電力状態から前記動作可能状態に復帰させる際の復帰時間に関するユーザの要求を受け付ける受付手段とを備え、
前記制御手段は、前記省電力状態に設定した前記画像形成機能部および/または前記制御機能部に供給する電力を、前記受付手段にて受け付けた前記復帰時間以内に前記動作可能状態に復帰可能な電力量に制御することを特徴とする画像形成装置。
【請求項２】
前記画像形成機能部は、自らの前記省電力状態および前記動作可能状態を個別に制御する画像形成部制御手段を備え、
前記制御機能部は、自らの前記省電力状態および前記動作可能状態を個別に制御する機能部制御手段を各々備えたことを特徴とする請求項１記載の画像形成装置。
【請求項３】
前記画像形成機能部および前記制御機能部の動作状況および/または動作設定に関する情報を記憶する記憶手段をさらに備え、
前記制御手段は、前記記憶手段に記憶された前記情報に基づいて、前記省電力状態に設定した前記画像形成機能部および/または前記制御機能部を前記動作可能状態に復帰させるタイミングを設定することを特徴とする請求項１記載の画像形成装置。
【請求項４】
前記制御手段は、前記記憶手段に記憶された前記情報から前記画像形成機能部および前記制御機能部の中で最も遅く前記動作可能状態に復帰する当該画像形成機能部または当該制御機能部を判断し、最も遅く復帰する当該画像形成機能部または当該制御機能部の復帰時間に対応させて前記タイミングを設定することを特徴とする請求項３記載の画像形成装置。
【請求項５】
前記制御手段は、前記受付手段にて受け付けた前記復帰時間に応じて、前記画像形成機能部および/または前記制御機能部への電力供給を停止する第１の省電力状態と当該画像形成機能部および/または当該制御機能部へ前記動作可能状態よりも少ない電力を供給する第２の省電力状態との何れかを設定するとともに、当該第２の省電力状態を設定した場合には当該第２の省電力状態に設定した当該画像形成機能部および/または当該制御機能部に供給する電力を当該復帰時間以内に当該動作可能状態に復帰可能な電力量に設定することを特徴とする請求項１記載の画像形成装置。
【請求項６】
画像情報に基づき画像形成を行う画像形成機能部および当該画像形成機能部との間で画像形成に関連する情報または信号の送受信を行う複数の制御機能部各々に供給する電力を個別に制御して、当該画像形成機能部および当該制御機能部各々に動作可能状態と当該動作可能状態よりも消費電力の少ない省電力状態とを個別に設定する制御手段と、
前記画像形成機能部および前記制御機能部の一または複数を前記省電力状態から前記動作可能状態に復帰させる際の復帰時間に関するユーザの要求を受け付ける受付手段とを備え、
前記制御手段は、前記省電力状態に設定した前記画像形成機能部および/または前記制御機能部に供給する電力を、前記受付手段にて受け付けた前記復帰時間以内に前記動作可能状態に復帰可能な電力量に制御することを特徴とする制御装置。
【請求項７】
前記制御手段は、前記画像形成機能部の前記省電力状態および前記動作可能状態を個別に制御する画像形成部制御手段、および前記制御機能部の当該省電力状態および当該動作可能状態を個別に制御する機能部制御手段として構成されたことを特徴とする請求項６記載の制御装置。
【請求項８】
前記画像形成機能部および前記制御機能部の動作状況および/または動作設定に関する情報を記憶する記憶手段から当該情報を取得する情報取得手段をさらに備え、
前記制御手段は、前記情報取得手段にて取得した前記情報に基づいて前記省電力状態に設定した前記画像形成機能部および/または前記制御機能部を前記動作可能状態に復帰させるタイミングを設定することを特徴とする請求項６記載の制御装置。
【請求項９】
前記制御手段は、前記受付手段にて受け付けた前記復帰時間に応じて、前記画像形成機能部および/または前記制御機能部への電力供給を停止する第１の省電力状態と当該画像形成機能部および/または当該制御機能部へ前記動作可能状態よりも少ない電力を供給する第２の省電力状態との何れかを設定するとともに、当該第２の省電力状態を設定した場合には当該第２の省電力状態に設定した当該画像形成機能部および/または当該制御機能部に供給する電力を当該復帰時間以内に当該動作可能状態に復帰可能な電力量に設定することを特徴とする請求項６記載の制御装置。
【請求項１０】
コンピュータに、
画像情報に基づき画像形成を行う画像形成機能部および当該画像形成機能部との間で画像形成に関連する情報または信号の送受信を行う複数の制御機能部各々に動作可能状態と当該動作可能状態よりも消費電力の少ない省電力状態とを個別に設定する機能と、
前記画像形成機能部および前記制御機能部の一または複数を前記省電力状態から前記動作可能状態に復帰させる際の復帰時間に関するユーザの要求を受け付ける機能と、
前記省電力状態に設定した前記画像形成機能部および/または前記制御機能部に供給する電力を前記復帰時間以内に前記動作可能状態に復帰可能な電力量に制御する機能と
を実現させることを特徴とするプログラム。
【発明の詳細な説明】
【技術分野】
【０００１】
本発明は、画像形成装置、制御装置、およびプログラムに関する。
【背景技術】
【０００２】
一般に、プリンタや複写機等の画像形成装置では、例えば予め定めた時間を超えて画像データ等の入力がない場合には消費電力の少ない動作状態（省電力状態）に移行させて、待機状態での省電力化を図っている。その場合に、省電力状態から動作可能状態に復帰するまでに要する時間（復帰時間）は、画像形成装置を構成する構成要素によって異なる。そのため、各構成要素が有する復帰時間に応じて各構成要素での省電力状態をそれぞれ設定する画像形成装置が提案されている。
例えば特許文献１には、省電力モード（省電力状態）に移行する場合に、各ユニットが省電力モードから復帰までに要する復帰時間によって移行する省電力モードを決定する画像形成装置（印刷装置）が記載されている。
【０００３】
【特許文献１】特開２００１−１４２５８８号公報
【発明の開示】
【発明が解決しようとする課題】
【０００４】
ここで一般の画像形成装置では、使用頻度や印刷枚数等の使用態様がユーザによってそれぞれ異なる。そのため、装置側の動作特性だけに合わせた省電力状態を設定すると、あるユーザにとっては省電力状態からの復帰時間が長過ぎるものとなり、省電力状態の設定に伴う画像生産性の低下がユーザに大きな不都合をもたらす場合がある。
本発明は、画像形成装置における画像生産性と省電力性とに関してユーザそれぞれの使用態様に応じた両立を図ることを目的とする。
【課題を解決するための手段】
【０００５】
請求項１に記載の発明は、画像情報に基づき画像形成を行う画像形成機能部と、前記画像形成機能部との間で画像形成に関連する情報または信号の送受信を行う複数の制御機能部と、前記画像形成機能部および前記制御機能部各々に供給する電力を個別に制御して、当該画像形成機能部および当該制御機能部各々に動作可能状態と当該動作可能状態よりも消費電力の少ない省電力状態とを個別に設定する制御手段と、前記画像形成機能部および前記制御機能部の一または複数を前記省電力状態から前記動作可能状態に復帰させる際の復帰時間に関するユーザの要求を受け付ける受付手段とを備え、前記制御手段は、前記省電力状態に設定した前記画像形成機能部および/または前記制御機能部に供給する電力を、前記受付手段にて受け付けた前記復帰時間以内に前記動作可能状態に復帰可能な電力量に制御することを特徴とする画像形成装置である。
【０００６】
請求項２に記載の発明は、前記画像形成機能部は、自らの前記省電力状態および前記動作可能状態を個別に制御する画像形成部制御手段を備え、前記制御機能部は、自らの前記省電力状態および前記動作可能状態を個別に制御する機能部制御手段を各々備えたことを特徴とする請求項１記載の画像形成装置である。
請求項３に記載の発明は、前記画像形成機能部および前記制御機能部の動作状況および/または動作設定に関する情報を記憶する記憶手段をさらに備え、前記制御手段は、前記記憶手段に記憶された前記情報に基づいて、前記省電力状態に設定した前記画像形成機能部および/または前記制御機能部を前記動作可能状態に復帰させるタイミングを設定することを特徴とする請求項１記載の画像形成装置である。
請求項４に記載の発明は、前記制御手段は、前記記憶手段に記憶された前記情報から前記画像形成機能部および前記制御機能部の中で最も遅く前記動作可能状態に復帰する当該画像形成機能部または当該制御機能部を判断し、最も遅く復帰する当該画像形成機能部または当該制御機能部の復帰時間に対応させて前記タイミングを設定することを特徴とする請求項３記載の画像形成装置である。
請求項５に記載の発明は、前記制御手段は、前記受付手段にて受け付けた前記復帰時間に応じて、前記画像形成機能部および/または前記制御機能部への電力供給を停止する第１の省電力状態と当該画像形成機能部および/または当該制御機能部へ前記動作可能状態よりも少ない電力を供給する第２の省電力状態との何れかを設定するとともに、当該第２の省電力状態を設定した場合には当該第２の省電力状態に設定した当該画像形成機能部および/または当該制御機能部に供給する電力を当該復帰時間以内に当該動作可能状態に復帰可能な電力量に設定することを特徴とする請求項１記載の画像形成装置である。
【０００７】
請求項６に記載の発明は、画像情報に基づき画像形成を行う画像形成機能部および当該画像形成機能部との間で画像形成に関連する情報または信号の送受信を行う複数の制御機能部各々に供給する電力を個別に制御して、当該画像形成機能部および当該制御機能部各々に動作可能状態と当該動作可能状態よりも消費電力の少ない省電力状態とを個別に設定する制御手段と、前記画像形成機能部および前記制御機能部の一または複数を前記省電力状態から前記動作可能状態に復帰させる際の復帰時間に関するユーザの要求を受け付ける受付手段とを備え、前記制御手段は、前記省電力状態に設定した前記画像形成機能部および/または前記制御機能部に供給する電力を、前記受付手段にて受け付けた前記復帰時間以内に前記動作可能状態に復帰可能な電力量に制御することを特徴とする制御装置である。
【０００８】
請求項７に記載の発明は、前記制御手段は、前記画像形成機能部の前記省電力状態および前記動作可能状態を個別に制御する画像形成部制御手段、および前記制御機能部の当該省電力状態および当該動作可能状態を個別に制御する機能部制御手段として構成されたことを特徴とする請求項６記載の制御装置である。
請求項８に記載の発明は、前記画像形成機能部および前記制御機能部の動作状況および/または動作設定に関する情報を記憶する記憶手段から当該情報を取得する情報取得手段をさらに備え、前記制御手段は、前記情報取得手段にて取得した前記情報に基づいて前記省電力状態に設定した前記画像形成機能部および/または前記制御機能部を前記動作可能状態に復帰させるタイミングを設定することを特徴とする請求項６記載の制御装置である。
請求項９に記載の発明は、前記制御手段は、前記受付手段にて受け付けた前記復帰時間に応じて、前記画像形成機能部および/または前記制御機能部への電力供給を停止する第１の省電力状態と当該画像形成機能部および/または当該制御機能部へ前記動作可能状態よりも少ない電力を供給する第２の省電力状態との何れかを設定するとともに、当該第２の省電力状態を設定した場合には当該第２の省電力状態に設定した当該画像形成機能部および/または当該制御機能部に供給する電力を当該復帰時間以内に当該動作可能状態に復帰可能な電力量に設定することを特徴とする請求項６記載の制御装置である。
【０００９】
請求項１０に記載の発明は、コンピュータに、画像情報に基づき画像形成を行う画像形成機能部および当該画像形成機能部との間で画像形成に関連する情報または信号の送受信を行う複数の制御機能部各々に動作可能状態と当該動作可能状態よりも消費電力の少ない省電力状態とを個別に設定する機能と、前記画像形成機能部および前記制御機能部の一または複数を前記省電力状態から前記動作可能状態に復帰させる際の復帰時間に関するユーザの要求を受け付ける機能と、前記省電力状態に設定した前記画像形成機能部および/または前記制御機能部に供給する電力を前記復帰時間以内に前記動作可能状態に復帰可能な電力量に制御する機能とを実現させることを特徴とするプログラムである。
【発明の効果】
【００１０】
本発明の請求項１によれば、画像形成装置における画像生産性と省電力性とをユーザそれぞれの使用態様に応じて両立させることができる。
本発明の請求項２によれば、本発明を採用しない場合に比べて、画像形成機能部および各制御機能部毎の機能に対応させた省電力状態を設定することができる。
本発明の請求項３によれば、本発明を採用しない場合に比べて、動作可能状態に復帰した画像形成機能部および各制御機能部に生じる待機時間を短縮して、画像形成機能部および各制御機能部で消費される電力の無駄を低減することができる。
本発明の請求項４によれば、本発明を採用しない場合に比べて画像形成機能部および各制御機能部に生じる待機時間を短縮する動作可能状態への復帰タイミングを設定することができる。
本発明の請求項５によれば、本発明を採用しない場合に比べて、画像形成機能部および制御機能部においてユーザが要求する復帰時間以内に省電力状態から動作可能状態に遷移できる状態を維持することができる。
【００１１】
本発明の請求項６によれば、画像形成装置における画像生産性と省電力性とをユーザそれぞれの使用態様に応じて両立させることができる。
本発明の請求項７によれば、本発明を採用しない場合に比べて、画像形成機能部および各制御機能部毎の機能に対応させた省電力状態を設定することができる。
本発明の請求項８によれば、本発明を採用しない場合に比べて、動作可能状態に復帰した画像形成機能部および各制御機能部に生じる待機時間を短縮して、画像形成機能部および各制御機能部で消費される電力の無駄を低減することができる。
本発明の請求項９によれば、本発明を採用しない場合に比べて、画像形成機能部および制御機能部においてユーザが要求する復帰時間以内に省電力状態から動作可能状態に遷移できる状態を維持することができる。
本発明の請求項１０によれば、画像形成装置における画像生産性と省電力性とをユーザそれぞれの使用態様に応じて両立させることができる。
【発明を実施するための最良の形態】
【００１２】
以下、添付図面を参照して、本発明の実施の形態について詳細に説明する。
〔画像形成装置全体の説明〕
図１は本実施の形態が適用される画像形成装置１の全体構成の一例を示した図である。図１に示す画像形成装置１は、各色の画像データ（画像情報）に基づき画像形成を行う画像形成機能部の一例としての画像形成ユニット２、原稿上の画像を読み取って画像データを生成し画像形成ユニット２に送る制御機能部の一例としての画像読取ユニット３を備えている。また、ユーザからの操作入力の受付やユーザに対する各種情報の表示を行う制御機能部の一例としてのユーザインターフェース（ＵＩ）ユニット４、例えば公衆電話回線を介してファクシミリデータ（画像情報）の送受信を行う制御機能部の一例としてのファクシミリ（ＦＡＸ）ユニット５を備えている。さらに、画像形成ユニット２に外付けで設けられ、画像形成ユニット２に用紙を供給する制御機能部の一例としてのトレイユニット６、例えばハードディスクドライブ（ＨＤＤ）やフラッシュメモリ等で構成される外部記憶装置である制御機能部の一例としてのメモリユニット７を備えている。またさらに、画像形成装置１全体の動作や通信回線を介した通信等を制御する統合制御手段の一例としてのシステム制御ユニット８、各部に電力を供給する電力供給手段の一例としての電力供給ユニット９を備えている。
【００１３】
図２は、図１に示す画像形成装置１内の通信系統および電力供給系統を説明する図である。本実施の形態では、画像形成機能部である画像形成ユニット２、および制御機能部である画像読取ユニット３、ＵＩユニット４、ＦＡＸユニット５、トレイユニット６、メモリユニット７、システム制御ユニット８が、機内通信手段の一例である機内ＬＡＮ（Local Area Network）１０に接続されている。本実施の形態では、画像形成機能部および各制御機能部により構成されるユニット相互間を１本のバス（機内ＬＡＮ１０）で接続し、ユニット相互の通信を実現している。
さらに、外部の機器（外部機器）とは、システム制御ユニット８を介して外部ＬＡＮ１２によって接続されている。
【００１４】
各ユニットには、各ユニットでの電力供給・停止を個別に制御する制御部がそれぞれ設けられている。すなわち、図２に示すように、画像形成ユニット２には画像形成制御手段（制御手段、制御装置）の一例としての画像形成制御部（ＣＰＵ）９２、画像読取ユニット３には機能部制御手段（制御手段、制御装置）の一例としての画像読取制御部（ＣＰＵ）９３、ＵＩユニット４には機能部制御手段（制御手段、制御装置）の一例としてのＵＩ制御部（ＣＰＵ）９４、ＦＡＸユニット５には機能部制御手段（制御手段、制御装置）の一例としてのＦＡＸ制御部（ＣＰＵ）９５、トレイユニット６には機能部制御手段（制御手段、制御装置）の一例としてのトレイ制御部（ＣＰＵ）９６、メモリユニット７には機能部制御手段（制御手段、制御装置）の一例としてのメモリ制御部（ＣＰＵ）９７、システム制御ユニット８には機能部制御手段（制御手段、制御装置）の一例としてのシステム制御ユニット制御部（ＣＰＵ）９８が設けられている。
【００１５】
また、画像形成装置１の画像形成ユニット２および他の各ユニット（画像読取ユニット３、ＵＩユニット４、ＦＡＸユニット５、トレイユニット６、メモリユニット７、システム制御ユニット８）には電力ライン１１が接続されており、この電力ライン１１に接続されている電力供給ユニット９を介して電力が供給される。電力供給ユニット９は、常夜電源として予め定めた電圧（２４Ｖ）の電力を電力ライン１１を介して常時供給する。
【００１６】
〔各ユニットに設定される電源モードの説明〕
本実施の形態では、画像形成機能部である画像形成ユニット２、制御機能部である画像読取ユニット３、ＵＩユニット４、ＦＡＸユニット５、トレイユニット６、メモリユニット７、システム制御ユニット８は、電源モード（動作状態）の制御が個別に行われる単位として構成されている。例えば、画像形成ユニット２および各制御機能部（各ユニット）それぞれは、（i）電力供給を停止する省電力状態（第１の省電力状態）の一例としてのスリープモード、（ii）各制御部への制御電力（５Ｖ）と各機構部への稼働電力（２４Ｖ）をフルパワーよりも低いパワーレベルで供給する省電力状態（第２の省電力状態）の一例としてのローパワーモード、（iii）各制御部への制御電力５Ｖと各機構部への稼働電力（２４Ｖ）をフルパワーで供給する動作可能状態の一例としてのジョブモード等の電源モードによって、自らの動作状態を独自・個別に制御する。
【００１７】
すなわち、画像形成ユニット２の画像形成制御部９２、各制御機能部（画像読取ユニット３、ＵＩユニット４、ＦＡＸユニット５、トレイユニット６、メモリユニット７、システム制御ユニット８）の制御部（画像読取制御部９３、ＵＩ制御部９４、ＦＡＸ制御部９５、トレイ制御部９６、メモリ制御部９７、システム制御ユニット制御部９８）は、機内通信手段（機内ＬＡＮ１０）を介して送信（ブロードキャスト）される各ユニットに対する指示命令（コマンド）が付された情報に基づいて、電力供給ユニット９からの電力供給・停止の制御を自らが独自に実施する。
【００１８】
なお、このような電力供給・停止の制御は、各ユニットで行われる場合のほか、この各ユニットを構成するユニット内の各デバイス（構成要素）において実施してもよい。すなわち、各ユニットを構成する各デバイスは、各デバイスに対応して設けられた制御部によって、電力供給・停止の制御を自ら実施するように構成してもよい。
【００１９】
〔各ユニット（画像形成ユニット）の説明〕
各ユニットの構成を、画像形成ユニット２を代表例として説明する。
まず、上記の図１に示すように、画像形成ユニット２は、一定の間隔を置いて並列的に配置された４つの画像形成モジュール３０Ｙ,３０Ｍ,３０Ｃ,３０Ｋ（以下、画像形成モジュール３０）を備えている。各画像形成モジュール３０には、デバイス（後段図３の機構部２３内の構成要素）として、静電潜像を形成してトナー像を保持する感光体ドラム３１、感光体ドラム３１を帯電する帯電器３２、帯電器３２によって帯電された感光体ドラム３１を画像データに基づいて露光する露光器３３、感光体ドラム３１上に形成された静電潜像を現像する現像器３４、転写後の感光体ドラム３１表面を清掃するクリーナ３５が配置されている。
そして、各画像形成モジュール３０は、それぞれがイエロー（Ｙ）、マゼンタ（Ｍ）、シアン（Ｃ）、黒（Ｋ）のトナー像を形成する。
【００２０】
さらに、画像形成ユニット２は、デバイス（構成要素）として、各画像形成モジュール３０の感光体ドラム３１にて形成された各色トナー像が多重転写される中間転写ベルト３６、各画像形成モジュール３０による各色トナー像を中間転写ベルト３６に順次転写（一次転写）する一次転写ロール３７、中間転写ベルト３６上に転写された重畳トナー像を記録材（記録紙）である用紙に一括転写（二次転写）する二次転写ロール３８、二次転写されたトナー画像を用紙に定着する定着器３９を備えている。
また、画像形成ユニット２は、デバイス（構成要素）として、用紙（Ｐ１）を収容する用紙収容容器４１、用紙収容容器４１から用紙Ｐ１を用紙搬送経路Ｒに繰り出す給紙機構部４２、用紙収容容器４１からの用紙Ｐ１やトレイユニット６からの用紙（Ｐ２〜Ｐ４）を用紙搬送経路Ｒ１に沿って搬送する用紙搬送機構部４３を備えている。
そして、画像形成ユニット２は、画像読取ユニット３からの画像データ（画像情報）、システム制御ユニット８が通信手段（図２の外部ＬＡＮ１２）を介して取得した印刷ジョブデータ（画像情報）、ＦＡＸユニット５にて受信したファクシミリデータ（画像情報）に基づいて、用紙収容容器４１またはトレイユニット６に収容された用紙（Ｐ１〜Ｐ４）に画像を形成する。また、手差し用紙収容部から用紙搬送経路Ｒ３を搬送される用紙に画像を形成する。さらには、両面搬送路Ｒ２を搬送される用紙の両面に画像を形成する。
【００２１】
次の図３は、画像形成ユニット２の機能構成を説明する図である。図３に示すように、画像形成ユニット２は、ユニット内ＬＡＮ２１に、各デバイスを制御する各種制御部２２が接続されている。各種制御部２２は、機構部２３内のデバイス（構成要素）を制御する。より具体的には、各種制御部２２には、帯電器３２を制御する帯電制御部、露光器３３を制御する露光制御部、現像器３４を制御する現像制御部、一次転写ロール３７および二次転写ロール３８を制御する転写制御部、定着器３９を制御する定着制御部が含まれる。さらに、各種制御部２２は、メカトロニクスＩ/Ｏ（IN/OUT）を介して、機構部２３内のデバイスであるモータやソレノイド、クラッチ等の動作を制御する。
【００２２】
また、ユニット内ＬＡＮ２１には、画像形成制御部９２が接続されている。画像形成制御部９２は、画像形成制御部９２を制御するＣＰＵ９２１と、機内ＬＡＮ１０に接続され、機内ＬＡＮ１０から得られるコマンドをフィルタリングするコマンドフィルタ９２２とを有している。例えば機内ＬＡＮ１０にて、画像形成ユニット２が処理すべき内容であることを示すコマンドが付された情報が送信（ブロードキャスト）された際に、コマンドフィルタ９２２がこのコマンドを選別する。そして、コマンドフィルタ９２２からの起動信号によってＣＰＵ９２１が起動される。そのため、画像形成ユニット２でのスリープモードの設定時には、電力供給ユニット９から電力ライン１１を介して供給される電力をコマンドフィルタ９２２だけに供給し、ＣＰＵ９２１をオフするように構成することで、さらなる省電力化が図られる。
【００２３】
また、画像形成ユニット２は、各種制御部２２や機構部２３内のデバイスにそれぞれの規定電圧の電力を供給する電源部を有している。すなわち、図３に示すように、画像形成ユニット２には画像形成電源部２５が設けられており、画像形成制御部９２の制御の下で電力を画像形成制御部９２や各種制御部２２や機構部２３に供給する。その際に、画像形成電源部２５から各種制御部２２への制御電力（５Ｖ）は、制御用電力ライン２６により供給される。また、画像形成電源部２５から機構部２３への稼働電力（２４Ｖ）は、稼働電力ライン２７により供給される。
本実施の形態では、画像形成ユニット２に設けられた画像形成電源部２５は、後述するユーザが設定するジョブモード（動作可能状態）への復帰要求時間に応じて、ローパワーモード設定時に出力する稼働電力の出力量（稼働電力量）を変更できるように構成されている。
【００２４】
本実施の形態の画像形成ユニット２では、画像形成制御部９２は、機内ＬＡＮ１０を介して得られる情報に基づいて自らに設定する電源モード（動作状態）を決定する。そして、画像形成制御部９２は、設定する電源モードに応じて、画像形成電源部２５から各種制御部２２および機構部２３内のデバイスに供給する電力を制御する。
その場合に、画像形成制御部９２は、画像形成動作が終了した後に遷移させる電源モード（ローパワーモードかスリープモードか）と、ローパワーモードに遷移させる場合に機構部２３に供給する稼働電力量とを、ユーザが設定するジョブモードへの復帰要求時間に応じて制御する。
【００２５】
なお、ここでは画像形成ユニット２を代表例として説明したが、他の各ユニット（画像読取ユニット３、ＵＩユニット４、ＦＡＸユニット５、トレイユニット６、メモリユニット７、システム制御ユニット８）も、各種制御部２２の構成や機構部２３内に配置される構成要素の内容は異なるが、基本的な機能構成は画像形成ユニット２とほぼ同様である。そして、他の各ユニットにおいても、機内ＬＡＮ１０を介して得られる情報に基づいて、自らの動作状態を独自に制御する。その場合に、各ユニットの制御部は、各ユニットでの各種動作（ジョブ）が終了した後に遷移させる電源モード（ローパワーモードかスリープモードか）と、ローパワーモードに遷移させる場合に各ユニット内のデバイスに供給する稼働電力量とを、ユーザが設定するジョブモード（動作可能状態）への復帰要求時間に応じて制御する。
【００２６】
〔各ユニットにて動作終了時に設定される電源モードの説明〕
本実施の形態の画像形成装置１では、ジョブモード（動作可能状態）までの復帰時間に関するユーザの要求を受付手段の一例としてのＵＩユニット４から受け付ける。システム制御ユニット８は、ＵＩユニット４にてユーザにより入力されたジョブモードへの復帰要求時間に関する情報（以下、復帰要求時間情報）をＵＩユニット４から機内ＬＡＮ１０を介して取得する。そして、システム制御ユニット８は、復帰要求時間情報をすべてのユニットに対して機内ＬＡＮ１０を介して送信（ブロードキャスト）する。
ここで、「復帰要求時間」とは、ユーザが画像形成装置１に要求する省電力状態から動作可能状態に復帰させるまでの復帰時間である。また、「動作可能状態までの復帰時間」とは、省電力状態にある各ユニットが動作指示コマンドを機内ＬＡＮ１０を介して取得した場合に動作指示コマンドの取得から各ユニットが例えばジョブモード等の動作可能状態に復帰までに要する時間である。各ユニットを構成する構成要素（デバイス）では、例えば省電力状態の一つであるスリープモードからジョブモード等の動作可能状態に復帰するまでに要する復帰時間がそれぞれ異なっている。
【００２７】
システム制御ユニット８から復帰要求時間情報を取得した各ユニットは、制御部（画像読取制御部９３、ＵＩ制御部９４、ＦＡＸ制御部９５、トレイ制御部９６、メモリ制御部９７）が復帰要求時間情報を取得し、制御部内のフラッシュメモリ等の記憶手段に復帰要求時間情報を記憶する。そして、各制御部は、復帰要求時間情報と各ユニットを構成する構成要素における復帰時間とに基づいて、動作終了時にローパワーモードに遷移させるかまたは直ちにスリープモードに遷移するか、さらには、動作終了時にローパワーモードに遷移させる場合にはローパワーモードにて出力する稼働電力量を決定する。
すなわち、各制御部は、ジョブモードまでの復帰時間に関するユーザの要求を満たすように、省電力状態における各ユニットでの電源供給状態を設定する。それにより、各ユニットに省電力状態を設定した場合においても、各ユニットをユーザの復帰要求時間内でジョブモードに復帰させる状態を維持する。
【００２８】
〔動作終了時に設定する電源モードの決定処理の説明〕
具体例として、画像形成ユニット２において画像形成動作終了時に設定される電源モードについて説明する。
図４は、画像形成ユニット２において画像形成動作終了時に設定する電源モードを決定する際の処理の手順の一例を示すフローチャートである。図４に示すように、画像形成ユニット２は、システム制御ユニット８から復帰要求時間情報を取得すると（Ｓ１０１）、画像形成制御部９２が画像形成制御部９２内のフラッシュメモリ等の記憶手段に復帰要求時間情報を記憶する（Ｓ１０２）。そして、画像形成制御部９２は、画像形成ユニット２の機構部２３に配置されたデバイスそれぞれの復帰時間と、ユーザにより設定された復帰要求時間ｔとを比較する（Ｓ１０３）。
具体的には、機構部２３に配置されたデバイスでは、定着器３９（図１参照）がスリープモードからジョブモードに復帰するまでに約３０秒の復帰時間を要し、機構部２３に配置されたデバイスの中で最も長い。一方、その他のデバイスは、スリープモードからジョブモードに復帰するまでの復帰時間が５秒程度と短い。そのため、画像形成制御部９２は、復帰時間が最も長い定着器３９におけるスリープモードからジョブモードに復帰するまでの復帰時間Ｔｆ（３０秒）とユーザにより設定された復帰要求時間ｔとを比較する（Ｓ１０４）。
【００２９】
ユーザにより設定された復帰要求時間ｔが、画像形成ユニット２の機構部２３に配置されたデバイス（定着器３９）のスリープモードからジョブモードに復帰するまでの復帰時間Ｔｆよりも長いかまたは等しい場合には（Ｓ１０４でＹｅｓ）、画像形成制御部９２は、画像形成動作が終了した場合には、直ちにスリープモードに遷移させる設定を行うことを決定する（Ｓ１０５）。そして、画像形成制御部９２は、画像形成動作が終了した場合には直ちにスリープモードに遷移させる設定を行うことを記憶手段に記憶する（Ｓ１０６）。
この場合には、ユーザが設定した復帰要求時間ｔが、機構部２３に配置されたデバイス中で最も長い定着器３９での復帰時間Ｔｆよりもさらに長いので、スリープモードから画像形成ユニット２を復帰させたとしても、ユーザが要求する復帰要求時間以内にジョブモードに遷移させることができる。そのため、画像形成ユニット２での画像形成動作が終了した場合には、直ちにスリープモードに遷移させることと定めることにより、省電力化を図るとともに、ユーザの待機可能時間に関する要求をも満たすこととなる。
【００３０】
一方、ユーザにより設定された復帰要求時間ｔが、画像形成ユニット２の機構部２３に配置されたデバイス（定着器３９）のスリープモードからジョブモードに復帰するまでの復帰時間Ｔｆよりも短い場合には（Ｓ１０４でＮｏ）、画像形成制御部９２は、ユーザにより設定された復帰要求時間ｔに対応させて、ローパワーモード設定時に出力する稼働電力量を算出する（Ｓ１０７）。そして、画像形成制御部９２は、算出した稼働電力量を記憶手段に記憶する（Ｓ１０８）。
具体的には、機構部２３に配置されたデバイスの中では、定着器３９での消費電力量が機構部２３の消費電力量の大部分を占める。そこで、画像形成制御部９２は、ユーザにより設定された復帰要求時間ｔ以内にジョブモードに復帰可能な省電力状態（ローパワーモード）を実現する稼働電力量（定着器３９での消費電力量）を算出する。例えば、ジョブモード設定時に定着器３９に設定されるヒータ温度が２３０℃であったとした場合に、ユーザにより設定された復帰要求時間ｔ以内にヒータ温度を２３０℃に上昇させることができるヒータ温度が維持される電力量を、ローパワーモード設定時に出力する稼働電力量として算出する。そして、この稼働電力量を記憶手段に記憶しておく。
【００３１】
この場合に、ユーザにより設定された復帰要求時間ｔと、ユーザにより設定された復帰要求時間ｔ以内に定着器３９のヒータ温度を２３０℃に上昇させることができるヒータ温度が維持される稼働電力量とを対応付けたテーブルを画像形成制御部９２内のフラッシュメモリ等の記憶手段に保持しておいてもよい。そして、画像形成制御部９２は、ユーザにより設定された復帰要求時間ｔとテーブルとからローパワーモード設定時に出力する稼働電力量を算出してもよい。また、画像形成装置１の機内温度は、ヒータ温度を維持するために要する電力量に影響を与えるファクターとなる。そのため、このテーブルにおいてさらに機内温度を対応付けておいてもよい。
【００３２】
〔動作終了後の電源モードの遷移処理の説明〕
次の図５は、画像形成動作終了後に画像形成ユニット２にて電源モードを遷移させる際の処理の手順の一例を示すフローチャートである。図５に示すように、画像形成制御部９２は、画像形成ユニット２にて画像形成動作が終了すると、画像形成制御部９２の記憶手段に記憶された情報（図４のステップ１０６およびステップ１０８参照）に基づき、画像形成動作が終了した場合に直ちにスリープモードに遷移させる設定がなされているか否かを判定する（Ｓ２０１）。
そして、直ちにスリープモードに遷移させる設定がなされている場合には（Ｓ２０１でＹｅｓ）、画像形成制御部９２は、画像形成ユニット２を画像形成動作終了後直ちにスリープモードに遷移させる（Ｓ２０９）。
この場合には、ユーザが設定した復帰要求時間ｔが、機構部２３に配置されたデバイス中で最も長い定着器３９での復帰時間Ｔｆよりもさらに長いので、スリープモードから画像形成ユニット２を復帰させても、ユーザが要求する復帰要求時間以内にジョブモードに遷移させることができる。
【００３３】
一方、直ちにスリープモードに遷移させる設定がなされていない場合には（Ｓ２０１でＮｏ）、画像形成制御部９２は、画像形成動作の終了時点からの経過時間の計測を開始する（Ｓ２０２）。それとともに、ジョブモードを維持し、システム制御ユニット８から機内ＬＡＮ１０を介した動作指示コマンドの一例である画像形成指示コマンドの送信を待ち受ける（Ｓ２０３）。そして、画像形成指示コマンドの送信があった場合には（Ｓ２０３でＹｅｓ）、画像形成制御部９２は、ジョブモードを維持し、画像形成動作が終了した後、ステップ２０１へ戻る。
また、画像形成制御部９２は、画像形成指示コマンドの送信がない場合であって（Ｓ２０３でＮｏ）、画像形成動作の終了時点からの経過時間がローパワーモードへの遷移時間（例えば１分）を超えた場合には（Ｓ２０４でＹｅｓ）、画像形成制御部９２の記憶手段に記憶された稼働電力量（図４のステップ１０８）が出力されるローパワーモードに遷移させる（Ｓ２０５）。
一方、画像形成指示コマンドの送信がない場合であって（Ｓ２０３でＮｏ）、画像形成動作の終了時点からの経過時間がローパワーモードへの遷移時間（例えば１分）を超えていない場合には（Ｓ２０４でＮｏ）、画像形成指示コマンドの送信を待ち受ける（Ｓ２０３に戻る）。
【００３４】
ステップ２０５にてローパワーモードに遷移させた後、画像形成制御部９２は、システム制御ユニット８から機内ＬＡＮ１０を介した画像形成指示コマンドの送信を待ち受ける（Ｓ２０６）。画像形成指示コマンドの送信があった場合には（Ｓ２０６でＹｅｓ）、画像形成制御部９２は、画像形成ユニット２の電源モードをローパワーモードからジョブモードに遷移させる（Ｓ２０７）。そして、画像形成動作が終了した後、ステップ２０１へ戻る。
この場合には、設定されたローパワーモードでの稼働電力量は、ユーザにより設定された復帰要求時間ｔ以内に定着器３９のヒータ温度をジョブモード設定時に設定されるヒータ温度に上昇させることができるヒータ温度が維持される稼働電力量である。そのため、ユーザが要求する復帰要求時間ｔ以内にローパワーモードからジョブモードに遷移させることができる。
【００３５】
一方、画像形成制御部９２は、画像形成指示コマンドの送信がない場合であって（Ｓ２０６でＮｏ）、画像形成動作の終了時点からの経過時間がスリープモードへの遷移時間（例えば１５分）を超えた場合には（Ｓ２０８でＹｅｓ）、画像形成制御部９２は、画像形成ユニット２の電源モードをスリープモードに遷移させる（Ｓ２０９）。この場合には、スリープモードに遷移させることで、省電力化を図る。
また、ローパワーモードを設定した時点からの経過時間がスリープモードへの遷移時間（例えば１５分）を超えていない場合には（Ｓ２０８でＮｏ）、ローパワーモードを継続し、画像形成指示コマンドの送信を待ち受ける（Ｓ２０６に戻る）。
【００３６】
さらに、ステップ２０９にてスリープモードに遷移させた後には、画像形成制御部９２は、システム制御ユニット８から機内ＬＡＮ１０を介した画像形成指示コマンドの送信を待ち受ける（Ｓ２１０）。画像形成指示コマンドの送信があった場合には（Ｓ２１０でＹｅｓ）、画像形成制御部９２は、画像形成ユニット２の電源モードをスリープモードからジョブモードに遷移させる（Ｓ２０７）。そして、画像形成動作が終了した後、ステップ２０１へ戻る。
また、画像形成指示コマンドの送信がない場合には（Ｓ２１０でＮｏ）、スリープモードを継続し、画像形成指示コマンドの送信を待ち受ける（Ｓ２１０に戻る）。
【００３７】
上記の図４および図５では、画像形成ユニット２を例として説明したが、他の各ユニット（画像読取ユニット３、ＵＩユニット４、ＦＡＸユニット５、トレイユニット６、メモリユニット７）においても、制御部（画像読取制御部９３、ＵＩ制御部９４、ＦＡＸ制御部９５、トレイ制御部９６、メモリ制御部９７）それぞれが、復帰要求時間情報に応じて、動作終了時にローパワーモードに遷移させるかまたは直ちにスリープモードに遷移するか、さらに、動作終了時にローパワーモードに遷移させた場合にはローパワーモードにて出力する稼働電力量を設定する。
【００３８】
〔各ユニットでのスリープモードからジョブモードへの遷移タイミングの説明〕
次に、画像形成ユニット２および各制御機能部（各ユニット）において、スリープモードの設定状態でシステム制御ユニット８から動作指示コマンドの送信があった場合に、スリープモードからジョブモードに遷移させる際のタイミングについて説明する。
まず、本実施の形態では、各ユニットが電源モードの遷移タイミングを制御するに際して、画像形成ユニット２および各ユニット（画像読取ユニット３、ＵＩユニット４、ＦＡＸユニット５、トレイユニット６、メモリユニット７、システム制御ユニット８）は、現在の自身の動作状況および/または動作設定に関する情報（システム情報）を機内ＬＡＮ１０を介してメモリユニット７に登録（記憶）する。それにより、メモリユニット７は、各ユニットに関する現在のシステム情報を保持する。そして、各ユニットの制御部は、システム制御ユニット８から動作指示コマンドの送信があった場合に、メモリユニット７から他のユニットのシステム情報を機内ＬＡＮ１０を介して取得する。それにより、各ユニットは、メモリユニット７から取得した他のユニットのシステム情報に基づき、電源モードの遷移タイミングを自ら判断する。したがって、ここでの各ユニットの制御部（画像形成制御部９２、画像読取制御部９３、ＵＩ制御部９４、ＦＡＸ制御部９５、トレイ制御部９６、およびシステム制御ユニット制御部９８）は、記憶手段の一例としてのメモリユニット７から他のユニットのシステム情報を取得する情報取得手段としても機能する。
【００３９】
すなわち、各ユニットを構成する構成要素（デバイス）は、例えば省電力状態の一つであるスリープモードからジョブモードに復帰するまでの復帰時間が異なっている。そのため、例えばシステム制御ユニット８から動作指示コマンドが各ユニットに対して送信（ブロードキャスト）され、その動作指示コマンドに対応して動作するユニットがいっせいにジョブモードへの遷移処理を開始したとしても、ジョブモードに復帰する時間に各ユニット間で差（タイムラグ）が生じる。また、ジョブモードに復帰した後に各種の調整処理を行う必要があるユニットでは、動作可能状態となるまでにさらなる時間を要する。そのため、ジョブモードへの復帰時間の短いユニットやジョブモード復帰後に各種調整処理を行わないユニットでは、動作可能状態までの復帰時間が長いユニットが動作可能状態となるまでに待機時間が発生し、その間、電力が無駄に消費される。なお、ここでの「復帰時間」とは、ジョブモードに復帰するまでの時間と、ジョブモード復帰後に各種調整処理に要する時間とを加算した、各ユニットが動作可能状態となるまでの広義の復帰時間をいう。一方、ジョブモードに復帰するまでの時間を狭義の復帰時間とする。
【００４０】
そこで、本実施の形態では、各ユニットは、例えばシステム制御ユニット８等の他のユニットから動作指示コマンドを取得した場合には、メモリユニット７から他のユニットのシステム情報を機内ＬＡＮ１０を介して取得し、最も遅く動作可能状態となるユニットの復帰時間を予測する。そして、各ユニットは、その復帰予測時間に合わせて自身のジョブモードへの遷移タイミングを算出する。それにより、各ユニットは、最も復帰時間の長いユニットが復帰するタイミングに合わせてジョブモードへの遷移タイミングを設定するので、待機時間が低減される。その結果、復帰時間の短いユニットにおいても、電力消費の無駄が低減される。
【００４１】
図６は、メモリユニット７に記憶された各ユニットでの現在の動作状況や動作設定に関するシステム情報の一部を例示した図である。例えば、図６に示したシステム情報には、画像形成ユニット２に関して、現在、「スリープモード継続時間＝３２分」であり、「復帰時プロコンセットアップ＝要」であることが登録されている。ここで、「復帰時プロコンセットアップ＝要」とは、ジョブモードに復帰した場合には、画像形成動作の開始前に画像濃度の調整のために、画像形成ユニット２の機構部２３内の特定のデバイスの設定値を調整する処理（プロコンセットアップ）を行う設定がなされていることを意味する。また、「スリープモード継続時間＝３２分」であることから、定着器３９の温度がほぼ室温程度に冷えていることを意味している。
【００４２】
各ユニットは、例えばシステム制御ユニット８から動作指示コマンドを受けた場合に、画像形成ユニット２を含めた他のユニットに関するシステム情報を機内ＬＡＮ１０を介してメモリユニット７から取得する。そして、各ユニットは、画像形成ユニット２を含めた他のユニットにおける動作可能状態となるまでの復帰時間をそれぞれ算出する。その結果、例えば画像形成ユニット２の復帰時間が最も長いと判定したとした場合には、各ユニットは、画像形成ユニット２の復帰時間に対応させて、自身のジョブモードへの遷移タイミングを設定する。
【００４３】
具体的には、各ユニットは、図６のシステム情報から、画像形成ユニット２が現在、「スリープモード継続時間＝３２分」の状態にあることを把握する。それにより、各ユニットは、画像形成ユニット２がスリープモードからジョブモードに復帰するまでの復帰時間は、例えば１０秒であると算出する。この場合に、各ユニットは、例えば、画像形成ユニット２でのスリープモード継続時間と、画像形成ユニット２でのスリープモードからジョブモードに復帰するまでの復帰時間との対応関係を規定したテーブルを保持し、このテーブルに基づいて復帰時間を算出する。
また、各ユニットは、図６のシステム情報から、画像形成ユニット２には「復帰時プロコンセットアップ＝要」の動作設定がなされていることを把握する。それにより、各ユニットは、画像形成ユニット２がジョブモードへの復帰から動作可能状態となるまでの時間は、プロコンセットアップのために要する例えば３分であると算出する。なお、プロコンセットアップに要する時間についての情報に関しても、各ユニットが記憶手段に保持しているものとする。
したがって、この場合には、各ユニットは、画像形成ユニット２が動作可能状態になるまでの時間として、ジョブモードまでの復帰時間とプロコンセットアップを行う時間とを加算した３分１０秒を算出する。そこで、各ユニットは、スリープモードからジョブモードに復帰するまでの自身の復帰時間をＴｙ（秒）とした場合に、（３分１０秒−Ｔｙ）後にジョブモードへの遷移を開始するように制御する。
それにより、各ユニットでは、復帰時間の最も長いユニット（画像形成ユニット２）が復帰するまでの待機時間の発生が抑えられ、電力が無駄に消費されることが低減される。
【００４４】
なお、画像形成ユニット２でのスリープモード継続時間と、画像形成ユニット２でのスリープモードからジョブモードに復帰するまでの復帰時間との対応関係を規定したテーブルや、プロコンセットアップに要する時間に関する情報等といった、各ユニットが動作可能状態に設定されるまでに要する各種時間に関する情報は、メモリユニット７に記憶させておくように構成してもよい。
【００４５】
〔スリープモードからの復帰時の各ユニットでの電源モード遷移の具定例〕
次に、スリープモードからの復帰時に各ユニットにて制御される電源モードの遷移について、複写処理を行う場合を具体例として説明する。
図７は、各ユニットにスリープモードが設定されている状態から複写処理を行う場合の各ユニットの電源モードの遷移を説明する図である。図７に示したように、各ユニットにスリープモードが設定された状態で、画像読取ユニット３に設けられた原稿送り装置（ＡＤＦ）への原稿の設置またはプラテンガラスを覆う原稿台カバーの開閉が行われると（原稿検知）、画像読取ユニット３はジョブモードに遷移（移行）する。そして、画像読取ユニット３の画像読取制御部９３は、原稿の設置を検出したことを示す動作指示コマンドの一例である原稿検出コマンドを機内ＬＡＮ１０を介して他の各ユニットにブロードキャストする。
【００４６】
ブロードキャストとして原稿検出コマンドを機内ＬＡＮ１０から受信した各ユニットでは、自らの判断で、電源モードを設定する。
具体的には、システム制御ユニット８は、画像読取ユニット３からの原稿検出コマンドを受けると、ジョブモードに移行する。それにより、システム制御ユニット８は、コピー動作の開始に備える。
ＵＩユニット４は、画像読取ユニット３からの原稿検出コマンドを受けると、ジョブモードに移行する。それにより、ユーザがコピー開始ボタン（スタートボタン）を押下することに備える。
【００４７】
これに対し、ＦＡＸユニット５では、画像読取ユニット３からの原稿検出コマンドに対応する動作を行う必要がない。そのため、ＦＡＸユニット５は、電源モードをスリープモードのままを維持する。
また、画像形成ユニット２では、画像読取ユニット３からの原稿検出コマンドを受けた時点で原稿検出コマンドに対応する動作を行う必要がない。そのため、画像形成ユニット２は、スリープモードを維持する。トレイユニット６も同様である。
【００４８】
引き続いて、ユーザがＵＩユニット４のスタートボタンを押下すると、ＵＩユニット４は、スタートボタンが押下されたことを通知する動作指示コマンドの一例であるボタン押下コマンドを機内ＬＡＮ１０を介して他の各ユニットにブロードキャストする。
システム制御ユニット８では、ＵＩユニット４からのボタン押下コマンドを受けると、システム制御ユニット制御部９８が、複写処理を開始することを示す動作指示コマンドの一例である画像形成指示コマンドを機内ＬＡＮ１０を介して他の各ユニットにブロードキャストする。
【００４９】
画像形成ユニット２は、システム制御ユニット８からの画像形成指示コマンドを受けると、ジョブモードへの移行処理を開始する。すなわち、画像形成ユニット２の機構部２３（図３参照）をオンして、機構部２３に含まれる定着器３９（図１参照）を定着可能状態に設定するウォームアップ処理を開始する。そして、定着器３９のウォームアップ処理が完了（ジョブモードへの移行完了）すると、画像形成制御部９２は、動作設定に基づきプロコンセットアップ処理（図６参照）を開始する。プロコンセットアップ処理が完了すると、画像形成制御部９２は、画像形成の準備動作が完了したことを通知する動作指示コマンドの一例である準備完了通知コマンドを機内ＬＡＮ１０を介して他の各ユニットにブロードキャストする。
なお、画像形成制御部９２は、システム制御ユニット８からの画像形成指示コマンドを受けると、制御電力がオンされて起動を開始する。
【００５０】
また、トレイユニット６では、システム制御ユニット８からの画像形成指示コマンドを受けると、トレイ制御部９６が画像形成ユニット２を含めた他のユニットに関するシステム情報を機内ＬＡＮ１０を介してメモリユニット７から取得する。そして、トレイ制御部９６は、画像形成ユニット２での画像形成の準備動作が完了するまでの予想時間を算出する。さらに、算出した予想時間を基準として、自身がジョブモードに移行する遷移タイミングを決定する。そして、設定した遷移タイミングで、自身をジョブモードに移行する。それにより、トレイユニット６がジョブモードに移行してから画像形成ユニット２が画像形成を開始する（動作可能状態となる）までの待機時間が低減される。その結果、トレイユニット６での電力消費の無駄が低減される。
【００５１】
また、画像読取ユニット３は、システム制御ユニット８からの画像形成指示コマンドを受けると、画像読取制御部９３は、原稿の読取りを開始し、読み取った画像データをシステム制御ユニット８に送信する。
システム制御ユニット８では、システム制御ユニット制御部９８が画像読取ユニット３から送信された画像データの蓄積処理を開始する。システム制御ユニット制御部９８は、蓄積処理を開始した後、画像形成ユニット２から送信される準備完了通知コマンドを待って、蓄積した画像データを画像形成ユニット２に転送する。
それにより、画像形成ユニット２は、システム制御ユニット８から取得した画像データに基づく画像形成（プリント）を開始する。
図７に示したように、トレイユニット６は、画像形成ユニット２が準備完了通知コマンドを送信する時点では、メモリユニット７から取得したシステム情報に基づき自身が決定した遷移タイミングによりジョブモードを設定している。それにより、トレイユニット６は、画像形成ユニット２でのプリント開始に対応させて、必要な用紙（Ｐ２〜Ｐ４）を画像形成ユニット２に供給する動作を開始する。
【００５２】
ここで、プリントを開始した画像形成ユニット２内およびトレイユニット６内において、画像形成ユニット２に設けられた制御部（各種制御部２２）やトレイユニット６に設けられた制御部が、画像形成ユニット２を構成する各デバイス（機構部２３）やトレイユニット６を構成する各デバイスおよび制御部自身への電源供給・停止の制御を自ら実施するように構成してもよい。
画像形成ユニット２を例に述べると、デバイスとしての帯電器３２、露光器３３、現像器３４、さらには一次転写ロール３７、二次転写ロール３８、定着器３９等の中には、画像形成動作中において常時動作状態に設定しておく必要がないデバイスも多くある。そこで、各デバイスの制御部としての各種制御部２２（帯電制御部、露光制御部、現像制御部、転写制御部、定着制御部等）は、例えばシステム制御ユニット８から画像形成指示コマンドを取得した場合に、自身が制御するデバイスを動作させるべきタイミング（動作タイミング）をデバイス毎に算出する。そして、各種制御部２２がそれぞれの動作タイミングに従って、自身の電源供給・停止や自身が制御するデバイスの電源供給・停止を自ら制御する。それにより、各種制御部２２および各デバイスには動作すべきタイミングで電源供給が行われるので、デバイス単位での省電力化が図られる。
【００５３】
画像読取ユニット３に戻り、画像読取ユニット３が原稿の読取りを完了すると、画像読取制御部９３は、原稿の読取りを完了したことを通知する動作指示コマンドの一例である読取完了通知コマンドを機内ＬＡＮ１０を介して他の各ユニットにブロードキャストした後、画像読取ユニット３の電源モードをローパワーモードへと移行させる。
ここで画像読取ユニット３にて設定されるローパワーモードには、上記（図４参照）したように、ユーザが要求する復帰要求時間ｔ以内に画像読取ユニット３をジョブモードに遷移させることができる稼働電力量が設定される。そして、画像読取ユニット３でのローパワーモードは、画像形成ユニット２にスリープモードが設定されるまで継続され、その後、スリープモードに移行する。
システム制御ユニット８は、画像読取ユニット３からの読取完了通知コマンドを受けると、システム制御ユニット制御部９８が画像読取ユニット３からの読取完了通知コマンドを認識して、画像読取ユニット３からの画像データの蓄積処理を完了する。しかし、システム制御ユニット８は、蓄積した画像データの転送処理を行うために、ジョブモードを維持する。
【００５４】
また、ＵＩユニット４では、スタートボタンが押下されたことを通知するボタン押下コマンドをブロードキャストした後、他の操作入力がなければ、ＵＩ制御部９４は、ＵＩユニット４の電源モードをローパワーモードへと移行させる。
ここでＵＩユニット４にて設定されるローパワーモードには、上記（図４参照）したように、ユーザが要求する復帰要求時間ｔ以内にＵＩユニット４をジョブモードに遷移させることができる稼働電力量が設定される。そして、ＵＩユニット４でのローパワーモードは、画像形成ユニット２にスリープモードが設定されるまで継続され、その後、スリープモードに移行する。その場合のローパワーモードは、画像形成ユニット２でのプリント中は、ＵＩユニット４に設けられた表示パネル（不図示）のバックライトの輝度を暗くした状態で推移させ、プリント完了によりバックライトをオフした状態に設定するものであってもよい。
【００５５】
次に、画像形成ユニット２がプリントを完了すると、上記した図５の処理フローで説明したように、プリントの完了時点からの経過時間がローパワーモードへの遷移時間Ｔ１を超えた時点で、画像形成制御部９２の記憶手段に記憶された稼働電力量が出力されるローパワーモードに遷移させる。それにより、ユーザが要求する復帰要求時間ｔ以内にローパワーモードからジョブモードに遷移させることができる状態を維持する。そして、プリントの完了時点からの経過時間がスリープモードへの遷移時間Ｔ２を超えた時点で、画像形成制御部９２は、画像形成ユニット２の電源モードをスリープモードに遷移させる。この時点で、画像形成制御部９２も制御電力がオフされ、起動を停止する。
また、トレイユニット６では、画像形成ユニット２でのプリント完了前に用紙（Ｐ２〜Ｐ４）を画像形成ユニット２に供給する動作は終了する。そのため、画像形成ユニット２でのプリント完了の前の時点で、トレイ制御部９６は、トレイユニット６の電源モードをスリープモードへと直ちに移行させる。トレイユニット６においては、スリープモードからジョブモードへの復帰時間は１秒以内と短いため、スリープモードへ直ちに移行させても、ユーザが要求する復帰要求時間ｔ以内にローパワーモードからジョブモードに遷移させることができるからである。
【００５６】
システム制御ユニット８では、画像形成ユニット２への蓄積した画像データの転送処理を完了した時点で、システム制御ユニット制御部９８がシステム制御ユニット８の電源モードをスリープモードへと直ちに移行させる。システム制御ユニット８においては、スリープモードからジョブモードへの復帰時間は１秒以内と短いため、スリープモードに直ちに移行させても、ユーザが要求する復帰要求時間ｔ以内にローパワーモードからジョブモードに遷移させることができるからである。
【００５７】
このように、本実施の形態の画像形成装置１では、各ユニットの制御部は、機内ＬＡＮ１０を介して得られるコマンドが付された情報に基づき、電力供給ユニット９からの電源供給・停止の制御を自ら実施している。それにより、各ユニットには動作すべきタイミングでの電源供給が行われるので、ユニット単位での省電力化が図られる。
その場合に、各ユニットの制御部は、動作が終了した後に遷移させる電源モード（ローパワーモードかスリープモードか）と、ローパワーモードに遷移させる場合に供給する稼働電力量とを、ユーザが設定するジョブモードへの復帰要求時間ｔに応じて制御する。それにより、ユーザが要求する復帰要求時間ｔ以内にローパワーモードからジョブモードに遷移させることができる状態を維持する。そのため、画像形成装置１における画像生産性がユーザそれぞれの使用態様に応じて維持され、画像形成装置１の省電力性も向上する。
【００５８】
また、各ユニットは、電源モードを遷移させる場合に、画像形成ユニット２を含めた他のユニットに関するシステム情報を機内ＬＡＮ１０を介してメモリユニット７から取得する。そして、各ユニットは、画像形成ユニット２を含めた他のユニットが動作可能状態となるまでの復帰時間をそれぞれ算出する。その結果、例えば画像形成ユニット２の復帰時間が最も長いと判定したとした場合には、各ユニットは、画像形成ユニット２の復帰時間に対応させて、ジョブモードへの遷移タイミングを設定する。それにより、各ユニットにおいて、復帰時間の最も長いユニット（画像形成ユニット２）が動作可能状態になるまでの待機時間の発生が抑えられ、電力が無駄に消費されることが低減される。
【００５９】
次の図８は、各ユニットの制御部（画像形成制御部９２、画像読取制御部９３、ＵＩ制御部９４、ＦＡＸ制御部９５、トレイ制御部９６、メモリ制御部９７、システム制御ユニット制御部９８）のハードウェア構成を示した図である。図８に示したように、制御部は、各ユニットの電源モードの遷移制御やローパワーモードに遷移させる場合に供給する稼働電力の出力量算出処理を行うに際して、予め定められたプログラムに従ってデジタル演算処理を実行する演算手段の一例としてのＣＰＵ１０１、ＣＰＵ１０１の作業領域として機能するＲＡＭ１０２、ＣＰＵ１０１により実行されるプログラム等にて用いられる設定値等のデータが格納されるＲＯＭ１０３、書き換え可能で電源供給が途絶えた場合にもデータを保持できるＥＥＰＲＯＭやフラッシュメモリ等の不揮発性メモリ１０４、制御部に接続される各デバイスとの信号の入出力を制御するインターフェース部１０５を備えている。
【００６０】
また、メモリユニット７には各制御部により実行されるプログラムが格納されており、各制御部がこの処理プログラムを読み込むことによって、各ユニットの電源モードの遷移制御や稼働電力の出力量算出処理が実行される。すなわち、各ユニットの電源モードの遷移制御等を実行するプログラムが、例えばメモリユニット７としてのハードディスクやＤＶＤ−ＲＯＭ等から各制御部内のＲＡＭ１０２に読み込まれる。そして、ＲＡＭ１０２に読み込まれたプログラムに基づいて、ＣＰＵ１０１が各種処理を行う。このプログラムに関するその他の提供形態としては、予めＲＯＭ１０３に格納された状態にて提供され、ＲＡＭ１０２にロードされる形態がある。さらに、ＥＥＰＲＯＭ等の書き換え可能なＲＯＭ１０３を備えている場合には、各制御部がセッティングされた後に、プログラムだけがＲＯＭ１０３にインストールされ、ＲＡＭ１０２にロードされる形態がある。また、インターネット等の外部ＬＡＮ１２を介して各制御部にプログラムが伝送され、各制御部のＲＯＭ１０３にインストールされ、ＲＡＭ１０２にロードされる形態がある。
【００６１】
以上説明したように、本実施の形態の画像形成装置１においては、各種の画像処理動作を行うに際して、各ユニット（画像形成機能部および各種制御機能部）自身が電源モードを遷移させる。それにより、各ユニットには動作すべきタイミングで電源供給が行われるので、ユニット単位での省電力化が図られる。
その際に、各ユニットの制御部は、動作が終了した後に遷移させる電源モード（省電力状態）と、省電力状態の一つであるローパワーモードに遷移させる場合に供給する稼働電力量とを、ユーザが設定するジョブモードへの復帰要求時間に応じて制御する。それにより、ユーザが要求する復帰要求時間以内にローパワーモードからジョブモードに遷移させることができる状態を維持する。そのため、画像形成装置１における画像生産性がユーザそれぞれの使用態様に応じて維持され、画像形成装置１の省電力性も向上する。
また、各ユニットは、電源モードを遷移させる場合に、他のユニットに関するシステム情報に基づき、他のユニットが動作可能状態となるまでの復帰時間をそれぞれ算出する。そして、復帰時間が最も長いと判定したユニットの復帰時間に対応させて、ジョブモードへの遷移タイミングを設定する。それにより、各ユニットにおいて、復帰時間の最も長いユニットが動作可能状態になるまでの待機時間の発生が抑えられ、電力が無駄に消費されることが低減される。
【図面の簡単な説明】
【００６２】
【図１】本実施の形態が適用される画像形成装置の全体構成の一例を示した図である。
【図２】画像形成装置内の通信系統および電力供給系統を説明する図である。
【図３】画像形成ユニットの機能構成を説明する図である。
【図４】画像形成ユニットでの画像形成動作終了時に設定する電源モードを決定する際の処理の手順の一例を示すフローチャートである。
【図５】画像形成動作終了後に画像形成ユニットでの電源モードを遷移させる際の処理の手順の一例を示すフローチャートである。
【図６】メモリユニットに記憶された各ユニットでの現在の動作状況や動作設定に関するシステム情報の一部を例示した図である。
【図７】各ユニットにスリープモードが設定されている状態から複写処理を行う場合の各ユニットの電源モードの遷移を説明する図である。
【図８】各ユニットの制御部のハードウェア構成を示した図である。
【符号の説明】
【００６３】
１…画像形成装置、２…画像形成ユニット、３…画像読取ユニット、４…ユーザインターフェース（ＵＩ）ユニット、５…ファクシミリ（ＦＡＸ）ユニット、６…トレイユニット、７…メモリユニット、８…システム制御ユニット、９…電力供給ユニット、１０…機内ＬＡＮ、２１…ユニット内ＬＡＮ、２２…各種制御部、２３…機構部、９２…画像形成制御部、９３…画像読取制御部、９４…ＵＩ制御部、９５…ＦＡＸ制御部、９６…トレイ制御部、９７…メモリ制御部、９８…システム制御ユニット制御部
【図１】
2010056750.tif 000003
【図２】
2010056750.tif 000004
【図３】
2010056750.tif 000005
【図４】
2010056750.tif 000006
【図５】
2010056750.tif 000007
【図６】
2010056750.tif 000008
【図７】
2010056750.tif 000009
【図８】
2010056750.tif 000010